(57)【要約】【課題】クリップを正しい姿勢で安定して取り付けることが可能で、また取り付けられたクリップが外れることを抑制可能なクリップ取付け座を提供する。【解決手段】取付け座面部３０と、取付け座面部３０における外周縁３９から下方に延設された立壁部４０と、を備え、取付け座面部３０は、取付孔３８と、取付孔３８における孔縁３８Ｆの一部が切り欠かれることで形成された座面側挿入開口３３と、を備え、立壁部４０は、座面側挿入開口３３と連通する立壁側挿入開口４４を備えた挿入立壁部４５を有し、挿入立壁部４５には、クリップ挿入時にその挿入方向をガイドするガイド片５０が設けられ、その幅Ｗ５は、座面側挿入開口３３の開口幅Ｗ３よりも大きく設定されていることを特徴とする。【選択図】図１
2019060429.tif 000002
【特許請求の範囲】
【請求項１】
クリップが取り付けられるクリップ取付け座であって、
取付け座面部と、
前記取付け座面部における外周縁から下方に延設された立壁部と、を備え、
前記取付け座面部は、前記クリップが取り付けられる取付孔と、前記取付孔における孔縁の一部が切り欠かれることで形成され、前記クリップが挿入される座面側挿入開口と、を備え、
前記立壁部は、前記座面側挿入開口と連通する立壁側挿入開口を備えた挿入立壁部を有し、
前記挿入立壁部における前記立壁側挿入開口に臨む位置、かつ挿入方向について前記座面側挿入開口に対向する位置には、クリップ挿入時にその挿入方向をガイドするガイド片が設けられ、
前記ガイド片は、前記挿入立壁部の立設方向に沿って延設されるとともに、その幅は、前記座面側挿入開口の開口幅よりも大きく設定されていることを特徴とするクリップ取付け座。
【請求項２】
前記ガイド片における先端の外面には、前記クリップの当接箇所をガイドするガイド凹部が設けられており、
前記ガイド凹部は、前記座面側挿入開口側に凹んでなることを特徴とする請求項１に記載のクリップ取付け座。
【請求項３】
前記クリップは、その下端に平面視円形状の脚部を備え、
前記ガイド凹部の幅は、前記脚部の直径よりも小さく設定されていることを特徴とする請求項２に記載のクリップ取付け座。
【発明の詳細な説明】
【技術分野】
【０００１】
本発明は、クリップ取付け座に関する。
【背景技術】
【０００２】
従来、クリップが取り付けられるクリップ取付け座として、下記特許文献１に記載のものが知られている。具体的には、クリップ取付け座３の座面部２５にはクリップ１を係止する係止孔２７が形成されている。この係止孔２７と連続して、クリップ１の挿入基部１３を挿入する挿入孔２９が開口されており、当該挿入孔２９を通じてクリップ１は係止孔２７内に挿入される構成とされている。また、クリップ取付け座３は、挿入孔２９付近においてストッパー片部３５を有し、一旦取り付けられたクリップ１が座面部２５から抜け出てしまうことを阻止している。
【先行技術文献】
【特許文献】
【０００３】
【特許文献１】特開２００９−２９９８５０号公報
【発明の概要】
【発明が解決しようとする課題】
【０００４】
また、上記の構成においてストッパー片部３５は、挿入孔２９と対向するクリップ取付け座３の脚部２１上端から挿入孔２９に向かって延設されており、クリップ挿入時には、クリップ１がストッパー片部３５を弾性的に下方に押し倒して係止孔２７内に挿入される。しかしながら、ストッパー片部３５は幅狭に形成されているため、クリップ１がストッパー片部３５を押圧する際の挿入荷重や挿入方向を制御しにくく、クリップ１が挿入孔２９に対して真っすぐ挿入されず座面部２５に対して斜めに係止されてしまう虞がある。そのような挿入不良が起こると、一旦係止されたクリップ１が座面部２５から外れやすくもなる。
【０００５】
本発明は上記のような事情に基づいて完成されたものであって、クリップを正しい姿勢で安定して取り付けることが可能で、また取り付けられたクリップが外れることを抑制可能なクリップ取付け座を提供することを目的とする。
【課題を解決するための手段】
【０００６】
上記課題を解決するために、本発明は、クリップが取り付けられるクリップ取付け座であって、取付け座面部と、前記取付け座面部における外周縁から下方に延設された立壁部と、を備え、前記取付け座面部は、前記クリップが取り付けられる取付孔と、前記取付孔における孔縁の一部が切り欠かれることで形成され、前記クリップが挿入される座面側挿入開口と、を備え、前記立壁部は、前記座面側挿入開口と連通する立壁側挿入開口を備えた挿入立壁部を有し、前記挿入立壁部における前記立壁側挿入開口に臨む位置、かつ挿入方向について前記座面側挿入開口に対向する位置には、クリップ挿入時にその挿入方向をガイドするガイド片が設けられ、前記ガイド片は、前記挿入立壁部の立設方向に沿って延設されるとともに、その幅は、前記座面側挿入開口の開口幅よりも大きく設定されていることを特徴とする。
【０００７】
このようなクリップ取付け座によると、クリップを、立壁側挿入開口及び座面側挿入開口を通じて取付け座面部の取付孔内へ挿入可能となるとともに、挿入立壁部には、立壁側挿入開口に臨む位置、かつ挿入方向について座面側挿入開口に対向する位置に、クリップ挿入時にその挿入方向をガイドするガイド片が設けられているため、クリップを所望の方向へとガイドし、挿入不良を抑制することができる。
また、このガイド片は、挿入立壁部の立設方向に沿って延設されるとともに、その幅は、クリップが挿入される座面側挿入開口の開口幅よりも大きく設定されているため、一旦取付孔内に取り付けられたクリップが取付け座面部から脱落してしまうことを防止可能となる。特に、ガイド片は挿入立壁部の立設方向に沿って設けられているため、取付け座面部から脱落しようとするクリップを押し戻すことができ、クリップの脱落防止に寄与する。
【０００８】
前記クリップ取付け座において、前記ガイド片における先端の外面には、前記クリップの当接箇所をガイドするガイド凹部が設けられており、前記ガイド凹部は、前記座面側挿入開口側に凹んでなるものとすることができる。
【０００９】
通常ガイド片の幅が広くなると、クリップ挿入時にクリップが最初に当接する位置にばらつきが出るところ、本願発明では、ガイド片における先端の外面に、クリップの当接箇所をガイドするガイド凹部が座面側挿入開口側に凹んで設けられているため、座面側挿入開口に対して所望の角度でクリップを挿入することを促し、取付孔に対しても正しい姿勢でクリップを取り付けることが可能となる。このようにクリップの挿入不良を抑制するだけでなく、取付孔内に正しい姿勢で取り付けられることにより、一旦取付孔内に取り付けられたクリップが取付け座面部から脱落しにくいものとなる。
【００１０】
前記クリップ取付け座において、前記クリップは、その下端に平面視円形状の脚部を備え、前記ガイド凹部の幅は、前記脚部の直径よりも小さく設定されているものとすることができる。
【００１１】
このようなクリップ取付け座によると、クリップが備える平面視円形状の脚部が、当該脚部の直径よりも小さく設定されたガイド凹部に当接する際、当該ガイド凹部の凹縁に２点接触で当接することとなり、クリップ脚部の当接位置、ひいては挿入時のクリップの姿勢が安定しやすくなる。これにより、クリップの挿入不良が抑制可能となる。
【発明の効果】
【００１２】
本発明によれば、クリップを正しい姿勢で安定して取り付けることが可能で、また係止されたクリップが外れることを抑制可能なクリップ取付け座を提供することができる。
【図面の簡単な説明】
【００１３】
【図１】本発明の一実施形態に係るクリップ取付け座の斜視図
【図２】クリップが取り付けられる前の状態（クリップの脚部がガイド凹部の凹縁に当接した状態）を示す断面図（図１におけるＸ−Ｘ線切断箇所に相当）
【図３】図２における状態を、クリップ取付け座の上方から視た平面図（クリップについては脚部のみを模式的に図示）
【図４】クリップが取り付けられる過程（クリップがガイド片を弾性変形させた状態）を示す断面図（図１におけるＸ−Ｘ線切断箇所に相当）
【図５】クリップが取付孔内に取り付けられた状態を示す断面図（図１におけるＸ−Ｘ線切断箇所に相当）
【図６】ガイド片がクリップの脱落を抑制する態様を示す断面図
【発明を実施するための形態】
【００１４】
本発明の一実施形態を図１〜図６を参照しつつ詳細に説明する。本実施形態では、クリップが取り付けられるクリップ取付け座の一例について説明し、特にはクリップが、車両に搭載される車両用ドアトリムを車両のドアインナパネルに取り付ける際に用いられるものについて説明する。なお、以下の説明において、上下方向とは、紙面上の上下方向を示すものとする。
【００１５】
クリップ取付け座１０は、車両用ドアトリムを構成するトリムボード（不図示）における車室外側面に複数設けられている。トリムボード及びクリップ取付け座１０は、例えばポリプロピレンなどの合成樹脂を射出成形することによって一体的に成形されている。このクリップ取付け座１０に取り付けられたクリップ８０によって、トリムボードは車両のドアインナパネルＰ（図６参照）に対して取り付けられる。
【００１６】
クリップ取付け座１０は、図１に示すように、取付け座面部３０と、取付け座面部３０における外周縁３９から下方に延設された立壁部４０と、を備えている。取付け座面部３０は、クリップ８０が取り付けられる取付孔３８と、取付孔３８における孔縁３８Ｆの一部が切り欠かれることで形成され、クリップ８０が挿入される座面側挿入開口３３と、を備えている。
【００１７】
立壁部４０は筒状をなし、座面側挿入開口３３と連通する立壁側挿入開口４４を備えた挿入立壁部４５を有している。立壁部４０は、取付け座面部３０における外周縁３９の形状に沿ってその外面が湾曲する形状をなす中、挿入立壁部４５については、平らな壁部とされている。この挿入立壁部４５における上方に立壁側挿入開口４４は設けられ、当該立壁側挿入開口４４に臨む位置、かつクリップ８０の挿入方向Ｙ１について座面側挿入開口３３に対向する位置には、クリップ挿入時にその挿入方向Ｙ１をガイドするガイド片５０が設けられている。つまり、ガイド片５０は、座面側挿入開口３３に対して正面となる位置に設けられており、取付孔３８と座面側挿入開口３３とガイド片５０とは平面視において同一線上に設けられている（図３参照）。
【００１８】
ガイド片５０は、挿入立壁部４５の立設方向に沿って上方に、かつ、取付け座面部３０に対して略垂直方向に延設され、当該ガイド片５０の幅Ｗ５は、座面側挿入開口３３の開口幅Ｗ３よりも大きく設定されている（図３参照）。これにより、後述するクリップの挿入方向をガイドする機能、及びクリップの脱落防止機能を備える。また例えば、挿入立壁部の上端から取付孔に向かって斜めに傾斜する形状のガイド片を備えたクリップ取付け座に比べて、ガイド片５０が形成された平面視における面積を小さくすることができ、ひいてはクリップ取付け座１０全体が平面視において占める面積をより小さくできるため、その設置面積に制約がある場合でも本発明のクリップ取付け座を用いやすく好適である。また、ガイド片５０における先端の外面５２には、クリップ８０（脚部８９）の当接箇所をガイドするガイド凹部５５が、座面側挿入開口３３側に凹んで設けられている（図１，図３参照）。ガイド片５０の高さ（長さ）は、その上端面５１Ａが、取付け座面部３０の下面３０Ｂと略同一線上となる高さとされている（図２参照）。つまり、ガイド片５０の長さは、取付け座面部３０の上面３０Ａよりも下方に後退した位置まで延設する長さとされている。
【００１９】
クリップ８０は、図２の断面視に示すように、頭部８５と、軸部８８と、脚部８９とを備え、下端の脚部８９から所定の距離だけ離間した位置に第１座面部８１と、第２座面部８２とを備えている。第１座面部８１と、第２座面部８２と、脚部８９は、いずれも軸部８８からその軸方向と交差する向きにフランジ状に形成され、平面視円形状をなす（脚部８９については図３参照）。なお、脚部８９の平面視における直径Ｌ８は、ガイド凹部５５の幅Ｗ６よりも大きく設定されている（図３参照）。
【００２０】
続いて、クリップ８０の取り付け態様について説明する。クリップ８０をクリップ取付け座１０に取り付ける際には、クリップ８０の脚部８９を、ガイド片５０のガイド凹部５５に当接させる（図２参照）。このとき、図３に示すように、ガイド凹部５５の幅Ｗ６は、脚部８９の平面視における直径Ｌ８よりも小さく設定されているため、平面視円形状をなす脚部８９はガイド凹部５５の凹縁５５Ｆ，５５Ｆに２点接触で当接し、クリップ８０の当接箇所が位置決め（ガイド）されることとなる。このように座面側挿入開口３３に対してクリップ８０が真正面に位置した状態で、クリップ８０を更にＹ１方向かつ水平方向に移動させると、クリップ８０の脚部８９がガイド片５０を下方に押して弾性変形させつつ（図４参照）当該ガイド片５０を乗り越え、クリップ８０は立壁側挿入開口４４、座面側挿入開口３３を通じて取付孔３８内へと真っすぐ挿入される（図５参照）。クリップ８０は、その軸部８８が取付孔３８内に挿入され、取付け座面部３０を第２座面部８２と脚部８９とで挟み込むように、取付け座面部３０に固定される。上述したように、ガイド片５０は、座面側挿入開口３３に対して正面となる位置に設けられており、取付孔３８と座面側挿入開口３３とガイド片５０とは平面視において同一線上に設けられているため、クリップ８０が座面側挿入開口３３や取付孔３８に対して例えば斜め方向から挿入される事態を防ぐことができる。
【００２１】
図６に示すように、仮に、クリップ取付け座１０に取り付けられた状態のクリップ８０にＹ２方向の力が加わり、クリップ８０が取付け座面部３０から座面側挿入開口３３を通って脱落しかけても、挿入立壁部４５の立設方向に沿って真っすぐ上方に延設されたガイド片５０がストッパーの役割を果たし、クリップ８０が取付け座面部３０から脱落してしまうことを阻止できる。特に、ガイド片５０の幅Ｗ５は、座面側挿入開口３３の開口幅Ｗ３よりも大きく設定されているため、その防止機能がより確実なものとなる。
【００２２】
＜作用・効果＞
上記実施形態に示したようなクリップ取付け座１０によると、クリップ８０を、立壁側挿入開口４４及び座面側挿入開口３３を通じて取付け座面部３０の取付孔３８内へ挿入可能となるとともに、挿入立壁部４５には、立壁側挿入開口４４に臨む位置、かつクリップ８０の挿入方向Ｙ１について座面側挿入開口３３に対向する位置に、クリップ挿入時にその挿入方向Ｙ１をガイドするガイド片５０が設けられているため、クリップ８０を所望の方向へとガイドし、挿入不良を抑制することができる。
【００２３】
また、このガイド片５０は、挿入立壁部４５の立設方向に沿って延設されるとともに、その幅Ｗ５は、クリップ８０が挿入される座面側挿入開口３３の開口幅Ｗ３よりも大きく設定されているため、一旦取付孔３８内に取り付けられたクリップ８０が取付け座面部３０から脱落してしまうことを防止可能となる。特に、ガイド片５０は挿入立壁部４５の立設方向に沿って設けられているため、取付け座面部３０から脱落しようとするクリップ８０を押し戻すことができ、クリップの脱落防止に寄与する。
【００２４】
また、通常ガイド片５０の幅Ｗ５が広くなると、クリップ挿入時にクリップ８０が最初に当接する位置にばらつきが出るところ、本願発明では、ガイド片５０における先端の外面５２に、クリップ８０の当接箇所をガイドするガイド凹部５５が座面側挿入開口３３側に凹んで設けられているため、座面側挿入開口３３に対して所望の角度でクリップ８０を挿入することを促し、取付孔３８に対しても正しい姿勢でクリップ８０を取り付けることが可能となる。このようにクリップ８０の挿入不良を抑制するだけでなく、取付孔３８内に正しい姿勢で取り付けられることにより、一旦取付孔３８内に取り付けられたクリップ８０が取付け座面部３０から脱落しにくいものとなる。
【００２５】
また、ガイド凹部５５の幅Ｗ６は、クリップ８０が備える平面視円形状の脚部８９の直径Ｌ８よりも小さく設定されているため、クリップ８０における脚部８９の曲線部分がガイド凹部５５に当接する際、当該ガイド凹部５５の凹縁５５Ｆ，５５Ｆに２点接触で当接することとなり、クリップ脚部８９の当接位置、ひいては挿入時のクリップ８０の姿勢が安定しやすくなる。これにより、クリップ８０の挿入不良が抑制可能となる。
【符号の説明】
【００２６】
１０…クリップ取付け座、３０…取付け座面部、３３…座面側挿入開口、３８…取付孔、３８Ｆ…取付孔３８における孔縁、３９…取付け座面部３０における外周縁、４０…立壁部、４４…立壁側挿入開口、４５…挿入立壁部、５０…ガイド片、８０…クリップ、Ｗ３…座面側挿入開口３３の開口幅、Ｗ５…ガイド片５０の幅
【図１】
2019060429.tif 000003
【図２】
2019060429.tif 000004
【図３】
2019060429.tif 000005
【図４】
2019060429.tif 000006
【図５】
2019060429.tif 000007
【図６】
2019060429.tif 000008